(57)【要約】【課題】スピーカを台座部に内蔵しても再生音において良好な低音音圧が得られその台座部を薄くすることができる画像表示装置（５０）を提供する。【解決手段】画像表示部（５０Ａ）と、箱状の筐体（５）を有してその画像表示部（５０Ａ）を支持する台座部（５０Ｂ）と、を備え、台座部（５０Ｂ）は、筐体（１）の内部に、画像表示部（５０Ａ）側に向けて放音するよう固定されたスピーカ（６）と、筐体（５）の内部と外部とを連通する連通孔（７ｂ）と、を備えた。【選択図】図１
2008211746.tif 000002
【特許請求の範囲】
【請求項１】
画像表示部と、箱状の筐体を有して前記画像表示部を支持する台座部と、を備えた画像表示装置において、
前記台座部は、
前記筐体の内部に、前記画像表示部側に向けて放音するよう固定されたスピーカと、
前記筐体の内部と外部とを連通する連通孔と、
を備えたことを特徴とする画像表示装置。
【発明の詳細な説明】
【技術分野】
【０００１】
本発明は、画像表示装置に係り、特に、画像表示部を支持する台座部にスピーカを内蔵した画像表示装置に関する。
【背景技術】
【０００２】
近年、ディスプレイやテレビ受像機などの画像表示装置においては、液晶パネルやプラズマパネルなどのフラットな表示パネルを用いて大画面化が進む一方、市場からの省スペース化の要求に応えるべく、画面枠がより狭額化される傾向にある。
従って、表示パネルとそれを支持する枠体とよりなる画像表示部のデザインを、その枠体にスピーカを配設するものにした場合、より細型で小型のスピーカを用いる必要があり、再生音において低音の音圧低下が課題となってきている。
【０００３】
そこで、画像表示部以外の部位に、低音再生用のスピーカを設ける提案が種々されており、例えば、画像表示部を支持する台座部に、スピーカを備えた画像表示装置が、特許文献１に記載されている。
【０００４】
【特許文献１】特開２００３−２０４５８７号公報
【発明の開示】
【発明が解決しようとする課題】
【０００５】
ところで、特許文献１に記載された画像表示装置における台座部は、略扁平に形成されるものとされるが、台座部の前面から視聴者に向けて音を放出するようにスピーカユニットを配設するものである。
上述したように、大画面化がさらに進むに伴い、画像表示部の上下寸法がより大きくなるので、省スペース化のために、また、視聴者の目線との乖離を防止するために、画像表示装置の設置面から天面までの長さ（全高）を抑制するために、台座部をできるだけ薄く形成することが強く望まれる。
台座部を薄くすると、前面に配設するスピーカは、より細型で小型のスピーカを用いる必要があり、上述した狭額化の場合と同様の、再生音における低音の音圧低下が課題となる。
【０００６】
そこで、本発明が解決しようとする課題は、スピーカを台座部に内蔵しても、再生音において良好な低音音圧が得られその台座部を薄くすることができる画像表示装置を提供することにある。
【課題を解決するための手段】
【０００７】
上記の課題を解決するために、本願発明は手段として次の１）の構成を有する。
１）  画像表示部（５０Ａ）と、箱状の筐体（５）を有して前記画像表示部（５０Ａ）を支持する台座部（５０Ｂ）と、を備えた画像表示装置において、
前記台座部（５０Ｂ）は、
前記筐体（５）の内部に、前記画像表示部（５０Ａ）側に向けて放音するよう固定されたスピーカ（６）と、
前記筐体（５）の内部と外部とを連通する連通孔（７ｂ）と、
を備えたことを特徴とする画像表示装置（５０）である。
【発明の効果】
【０００８】
本発明によれば、スピーカを台座部に内蔵しても、再生音において良好な低音音圧が得られその台座部を薄くすることができる、という効果を奏する。
【発明を実施するための最良の形態】
【０００９】
本発明の実施の形態を、好ましい実施例により図１〜図６を用いて説明する。
【００１０】
本発明の画像表示装置の実施例としてテレビ受像機５０を説明する。
図１は、その外観の概略斜視図である。
【００１１】
このテレビ受像機５０は、いわゆるフラットパネルである画像表示パネル２及びそれを支持する枠体１を有する画像表示部５０Ａと、画像表示部５０Ａを、支柱４を介して支持する台座部５０Ｂと、を備えている。
枠体１には、画像表示パネル２の画面を視認するための開口部１ａが形成されており、開口部１ａの左右両側には、画像表示パネル２の左右に縦置きして内蔵された細型のスピーカ３ａ，３ｂからの音を外部に放出するための放音孔部３Ｌ，３Ｒが設けられている。
【００１２】
一方、台座部５０Ｂは、高さ方向の寸法Ｈができるだけ小さく（薄く）なるようデザインされている。
台座部５０Ｂは、例えば樹脂材料により形成された内部に空間を有し箱状の筐体５を備え、図１において、支柱４の右方の内部にはスピーカ６が収納されている。
【００１３】
このスピーカ６は、振動面が上方を向き、画像表示部側に向くように配設されており、そこからの音は、筐体５の天面５ｔに設けられた放音孔部５ａから外部上方（画像表示部側）に向けて放出される。このスピーカ６としては、ウーハとしての特性を有するものが好ましい。
筐体５の天面５ｔにおける支柱４の左方側には、ダクト７部が設けられている。
このダクト７部の詳細について、図２を用いて説明する。
【００１４】
図２は、台座部５０Ｂの構造を説明するための前面５ｚ側と天面５ｔの一部を断面とした斜視図である。
【００１５】
この図からわかるように、スピーカ６は比較的大型の例えば丸型であり、振動板６ａが上方を向いて筐体５に固定されている。
筐体５は、その天面５ｔにおけるこのスピーカ６に対応した範囲に、開口部５ａ１が形成されており、この開口部５ａ１を覆うように、パンチングメタルなどによる放音パネル５ａ２が取り付けられており、この開口部５ａ１と放音パネル５ａ２とで放音部５ａを構成している。
【００１６】
一方、筐体５の天面５ｔには、上方に略矩形状に突出し、台座部５０Ｂの前後方向（画面に直交する方向）に延在する筒部７ａが形成されている。
この筒部７ａが外観上のダクト部７である。
この筒部７ａの前面側端部には、開口部７ａ１が形成されており、反対側端部は封止されている。
また、筒部７ａの内部における筺体５の天面５ｔには、筐体１の内部と外部とを連通する連通孔７ｂが形成されている。
この連通孔７ｂの開口面積と、開口部７ａ１の開口面積と、筒部７ａの延在方向に直交する断面における開口部の開口面積とは、同一とされている。
また、この開口面積の条件を満たすものであれば、筒部７ａは、矩形状でなくてもよく、半円筒状などであってもよい。
また、連通孔７ｂの形状も限定されるものではない。
【００１７】
このような構成において、筐体５の内部は、開口部５ａ１及び連通孔７ｂ以外は封止された密閉状態となっている。
従って、この筐体５は、スピーカキャビネットとして機能し、連通孔７ｂをダクトとしてスピーカ６を備えたいわゆるバスレフ型スピーカが構成されている。
【００１８】
筐体５の内容量と、連通孔７ｂ及び筒部７ａの断面積と、筒部７ｂの長さと、を適宜設定することで、ヘルムホルツ共鳴を利用した低音再生特性に優れたスピーカボックスとすることができる。
また、筐体５の内部に仕切板５ｂを設けて、スピーカ６から連通孔７ｂまで屈曲した音道を形成し、その長さを調節することで、低音再生に有利ないわゆる音響迷路型のスピーカボックスとすることもできる。
【００１９】
以上、詳述した台座部５０Ｂによれば、スピーカ６からの放音のための開口面が筐体５の前面５ｚにないので、少なくとも内部空間の高さ方向がスピーカ６の駆動軸方向の厚さ分だけあればよく、これにより台座部５０Ｂをより薄く形成することができる。
また、スピーカ６の開口面が筐体５の天面５ｔに設けられているので、大口径のスピーカ６を用いることができ、の優れた低音再生特性が得られる。
また、筐体５は、その天面５ｔに設けられたダクトに相当する連通孔７ｂを除いて密閉状態とされているので、この筐体５はバスレフ型キャビネットとして機能し、更に優れた低音再生特性を有する。
【００２０】
実施例の画像表示装置５０における台座部５０Ｂは、上述した実施例の形態に限らず変形が可能であるので、概略模式図（図３〜図６）を用いて以下に例示する。図３〜図５は、台座部の平面図であり、支柱４を切断面としている。
【００２１】
（変形例１：図３参照）
この変形例１における台座部５０Ｂ１は、左右一対のダクト部７Ｌ，７Ｒを備えたものである。各ダクト部７Ｌ，７Ｒには、それぞれ筐体５の内部と外部とを連通する連通孔７ｂＬ，７ｂＲが形成されている。連通孔７ｂＬと連通孔７ｂＲとの開口面積の和は、実施例で説明したような、ダクト部が一つの場合の連通孔７ｂの開口面積と同じとされる。
この変形例１は、ダクト部７が左右に配置されるので、外観デザイン状、安定した印象が得られる。
【００２２】
（変形例２：図４参照）
この変形例２の台座部５０Ｂ２は、変形例１に対して、左右のダクト部７Ｌ，７Ｒを、中心に対して対称に設け、さらに、スピーカ６を中心線上に配設したものである。
この例によれば、再生音のセンターの定位がより向上する。
また、画像表示部５０Ａ側に搭載したスピーカ３ａ，３ｂがより小型で低音側の再生音圧が低い場合であって、スピーカ６に比較的高い周波数領域まで再生させる場合に、良好な再生特性を得ることができる例である。
【００２３】
（変形例３：図５参照）
この変形例３の台座部５０Ｂ３は、上述した実施例に対してダクト部７の開口部７ａ１を、後方側に設けたものである。
これにより、開口部７ａ１で発生し易い風切り音や中高音域の混濁が視聴者に届きにくくなっている。
【００２４】
（変形例４：図６）
さらに、図６に示した画像表示装置５１のように、突出するダクト部７を設けることなく、連通孔７ｂを台座部５１Ｂの筐体５の前面５ｚに設けてもよい。
この例においては、スピーカ６やその音を放出する放音孔５ａを左右の中心に配置し、筐体５の前面５ｚにおいて、その中心に対して左右対称に一対の連通孔７ｂＬ，７ｂＲを設けている。
この例によれば、台座部５１Ｂのデザインが洗練され、より高品位な画像表示装置を提供することができる。
【００２５】
本発明の実施例は、上述した構成及び手順に限定されるものではなく、本発明の要旨を逸脱しない範囲において変形例としてもよいのは言うまでもない。
【００２６】
スピーカ６からの音を前方側に反射する反射板を画像表示部５０Ａの底面に設けてもよい。
ダクト部７の開口部７ａ１は、実施例や変形例のように、前方や後方に向けて開口するものに限らない。左方、右方、や斜め方向に開口していてもよい。
もちろん、ダクト部７の延在方向も前後に限らず、左右方向や斜め方向であってもよい。
筐体５に内蔵するスピーカ６の数や配設位置も限定されるものではない。
また、画像表示装置は、実施例のようなテレビ受像機に限るものではなく、コンピュータ，ゲーム機，カメラなどの機器と接続して画像を表示する画像表示装置であってももちろんよい。
【図面の簡単な説明】
【００２７】
【図１】本発明の画像表示装置の実施例を説明するための斜視図である。
【図２】本発明の画像表示装置の実施例における要部を説明するための部分断面斜視図である。
【図３】本発明の画像表示装置の変形例１を説明するための模式的平面図である。
【図４】本発明の画像表示装置の変形例２を説明するための模式的平面図である。
【図５】本発明の画像表示装置の変形例３を説明するための模式的平面図である。
【図６】本発明の画像表示装置の変形例４を説明するための模式的斜視図である。
【符号の説明】
【００２８】
１  枠体
１ａ  開口部
２  画像表示パネル
３ａ，３ｂ  スピーカ
３Ｌ，３Ｒ  放音孔部
４  支柱
５  筐体
５ａ  放音孔部
５ａ１  開口部
５ａ２  放音パネル
５ｂ  仕切板
５ｔ  天面
５ｚ  前面
６  スピーカ
６ａ  振動板
７，７Ｌ，７Ｒ  ダクト部
７ａ  筒部
７ａ１，７ａ１Ｌ，７ａ１Ｒ  開口部
７ｂ，７ｂＬ，７ｂＲ  連通孔
５０，５１  画像表示装置
５０Ａ，５１Ａ  画像表示部
５０Ｂ，５０Ｂ１〜５０Ｂ３，５１Ｂ  台座部
【図１】
2008211746.tif 000003
【図２】
2008211746.tif 000004
【図３】
2008211746.tif 000005
【図４】
2008211746.tif 000006
【図５】
2008211746.tif 000007
【図６】
2008211746.tif 000008